(57)【要約】【課題】電源側からの通電で高電圧状態とされた点灯回路ユニットが、高電圧状態のままでランプハウジングから取り外された状態に置かれるという不都合の発生を、より確実に防止できるようにする。【解決手段】車両用灯具は、ランプハウジング２の内側に着脱可能に取り付けられる放電ランプ５と、ランプハウジング２に貫設される開口９を通して放電ランプ５と結線され、開口９を開閉可能に閉じる点灯回路ユニット１２と、開口９の軸心８回りで点灯回路ユニット１２を一方向回動Ａ、もしくは逆方向回動Ｂさせることにより、点灯回路ユニット１２を開口９の開口縁部９ａに取り付け、もしくは取り外し可能とする取付具１３と、点灯回路ユニット１２側に取り付けられるコネクタボディ１５と、電源側１７に接続され、コネクタボディ１５に差し込み、離脱可能とされるプラグ１８とを備える。【選択図】図１
2013016262.tif 000002
【特許請求の範囲】
【請求項１】
ランプハウジングの内側に着脱可能に取り付けられる放電ランプと、上記ランプハウジングに貫設される開口を通して上記放電ランプと結線され、上記開口を開閉可能に閉じる点灯回路ユニットと、上記開口の軸心回りで上記点灯回路ユニットを一方向回動、もしくは逆方向回動させることにより、この点灯回路ユニットを上記開口の開口縁部に取り付け、もしくは取り外し可能とする取付具と、上記点灯回路ユニット側に取り付けられるコネクタボディと、電源側に接続され、上記コネクタボディに差し込み、離脱可能とされるプラグとを備えた車両用灯具において、
上記プラグに往、復回動可能に枢支される回動体と、この回動体を往回動させるよう付勢する付勢手段とを設け、
上記開口縁部から上記点灯回路ユニットを取り外した状態で、上記コネクタボディにプラグを差し込むとき、この差し込みを上記往回動した回動体が阻止するようにし、
上記開口縁部に上記点灯回路ユニットを取り付けた状態で、上記コネクタボディにプラグを差し込むとき、上記回動体が上記ランプハウジング側に係合することにより、上記回動体が復回動して上記コネクタボディへのプラグの差し込みを許容するようにし、上記コネクタボディにプラグを差し込んだ後、上記点灯回路ユニットを逆方向回動させるとき、上記プラグと回動体とのうちの少なくともいずれか一方が上記ランプハウジング側に係止されることにより、上記点灯回路ユニットの逆方向回動が阻止されるようにしたことを特徴とする車両用灯具。
【請求項２】
ランプハウジングの内側に着脱可能に取り付けられる放電ランプと、上記ランプハウジングに貫設される開口を通して上記放電ランプと結線され、上記開口を開閉可能に閉じる点灯回路ユニットと、上記開口の軸心回りで上記点灯回路ユニットを一方向回動、もしくは逆方向回動させることにより、この点灯回路ユニットを上記開口の開口縁部に取り付け、もしくは取り外し可能とする取付具と、上記点灯回路ユニット側に取り付けられるコネクタボディと、電源側に接続され、上記コネクタボディに差し込み、離脱可能とされるプラグとを備えた車両用灯具において、
上記コネクタボディに往、復回動可能に枢支される回動体と、この回動体を往回動させるよう付勢する付勢手段とを設け、
上記開口縁部から上記点灯回路ユニットを取り外した状態で、上記コネクタボディにプラグを差し込むとき、この差し込みを上記往回動した回動体が阻止するようにし、
上記点灯回路ユニットを一方向回動させてこの点灯回路ユニットを上記開口縁部に取り付けるとき、上記回動体が上記ランプハウジング側に係合することにより、上記回動体が復回動して上記コネクタボディへのプラグの差し込みを許容すると共に上記回動体が上記ランプハウジング側に係止されるようにし、上記コネクタボディにプラグを差し込んだとき、このプラグが上記ランプハウジング側への上記回動体の係止を維持するようにし、この係止の維持により上記点灯回路ユニットの逆方向回動が阻止されるようにしたことを特徴とする車両用灯具。
【発明の詳細な説明】
【技術分野】
【０００１】
本発明は、ランプハウジングの内側に放電ランプを取り付け、電源側からの通電により上記放電ランプに高電圧を供給する点灯回路ユニットを上記ランプハウジングに取り付けた車両用灯具に関し、より具体的には、通電されて高電圧状態とされた上記点灯回路ユニットが、そのまま上記ランプハウジングから取り外された状態に置かれることを防止するようにした車両用灯具に関するものである。
【背景技術】
【０００２】
上記車両用灯具には、従来、下記特許文献１に示されるものがある。この公報のものによれば、車両用灯具は、ランプハウジングの内側に着脱可能に取り付けられる放電ランプと、上記ランプハウジングに貫設される開口を通して上記放電ランプと結線され、上記開口を開閉可能に閉じる点灯回路ユニットと、上記開口の軸心回りで上記点灯回路ユニットを一方向回動、もしくは逆方向回動させることにより、この点灯回路ユニットを上記開口の開口縁部に取り付け、もしくは取り外し可能とする取付具と、上記点灯回路ユニット側に取り付けられるコネクタボディと、電源側に接続され、上記コネクタボディに差し込み、離脱可能とされるプラグとを備えている。
【０００３】
そして、上記コネクタボディに電源側のプラグが差し込まれて、上記点灯回路ユニットに通電されると、この点灯回路ユニットからの高電圧が上記放電ランプに供給されて、この放電ランプにより、所定の高輝度放電による照射が行なわれるようになっている。
【０００４】
ここで、例えば、上記ランプハウジングの内側に取り付けられた上記放電ランプや他のランプの交換作業時において、これらランプをランプハウジングの内側から取り外して、ランプハウジングの外部に取り出すなどの作業は、通常、次のようになされる。
【０００５】
即ち、まず、ランプハウジングにおける開口の開口縁部に取り付けられている点灯回路ユニット側のコネクタボディからプラグを離脱させて上記点灯回路ユニットを非通電状態にする。次に、この点灯回路ユニットをランプハウジングから取り外して上記開口を開放する。そして、この開口を通し上記ランプハウジングの内側からランプを取り外す。次に、これらランプを新しいランプと交換する。これにより上記ランプの交換作業が終る。
【０００６】
なお、上記作業において、仮に、ランプハウジングに点灯回路ユニットが取り付けられており、かつ、この点灯回路ユニット側のコネクタボディにプラグが差し込まれていて上記点灯回路ユニットが通電され、高電圧状態にあるとする。そして、この状態から、この点灯回路ユニットがランプハウジングから取り外された場合、つまり、点灯回路ユニットが「通電・取り外し状態」に置かれた場合には、この点灯回路ユニットは高電圧状態のままでランプハウジングの外部に大きく露出することとなり、これは、作業者にとって好ましくない。
【０００７】
そこで、上記従来の技術では、点灯回路ユニットが上記「通電・取り外し状態」に置かれることを防止するため、次のように構成されている。
【０００８】
即ち、ランプハウジングに取り付けられている点灯回路ユニットが通電されて高電圧状態である場合において、この点灯回路ユニットをランプハウジングから取り外そうとしてこの点灯回路ユニットを前記したように逆方向回動させる場合には、この点灯回路ユニットの逆方向回動がランプハウジングに突設された突出リブにより阻止されて、ランプハウジングからの点灯回路ユニットの取り外しができないこととされている。このため、点灯回路ユニットが上記「通電・取り外し状態」に置かれることは未然に防止され、点灯回路ユニットがランプハウジングの外部に大きく露出する、という不都合の発生が防止されている。
【先行技術文献】
【特許文献】
【０００９】
【特許文献１】特開平７−５７５０３号公報
【発明の概要】
【発明が解決しようとする課題】
【００１０】
ところで、上記従来の技術には次のような問題点がある。
【００１１】
即ち、前記したように、ランプハウジングの内側からランプを取り外す作業において、まず、ランプハウジングに取り付けられている点灯回路ユニット側のコネクタボディからプラグを離脱させて上記点灯回路ユニットを非通電状態にしたとする。この場合には、勿論、この点灯回路ユニットを上記ランプハウジングから取り外したとしても、何ら問題はない。
【００１２】
しかし、上記従来の技術では、上記のようにランプハウジングから取り外した点灯回路ユニット側のコネクタボディにプラグを差し込んで通電させることは可能とされている。このため、仮に、上記したようにランプハウジングから取り外した点灯回路ユニット側のコネクタボディにプラグを差し込んで通電させたとすると、結果的に、この点灯回路ユニットは上記「通電・取り外し状態」に置かれることとなり、つまり、この点灯回路ユニットは高電圧状態のままでランプハウジングの外部に大きく露出することとなって、好ましくない。
【課題を解決するための手段】
【００１３】
本発明は、上記のような事情に注目してなされたもので、本発明の目的は、ランプハウジングの内側からランプを取り外す作業などにおいて、電源側からの通電で高電圧状態とされた点灯回路ユニットが、その高電圧状態のままでランプハウジングから取り外された状態に置かれ、これにより、上記点灯回路ユニットがランプハウジングの外部に大きく露出させられるという不都合の発生を、より確実に防止できるようにすることである。
【００１４】
請求項１の発明は、図１〜４に例示するように、ランプハウジング２の内側に着脱可能に取り付けられる放電ランプ５と、上記ランプハウジング２に貫設される開口９を通して上記放電ランプ５と結線され、上記開口９を開閉可能に閉じる点灯回路ユニット１２と、上記開口９の軸心８回りで上記点灯回路ユニット１２を一方向回動Ａ、もしくは逆方向回動Ｂさせることにより、この点灯回路ユニット１２を上記開口９の開口縁部９ａに取り付け、もしくは取り外し可能とする取付具１３と、上記点灯回路ユニット１２側に取り付けられるコネクタボディ１５と、電源側１７に接続され、上記コネクタボディ１５に差し込み、離脱可能とされるプラグ１８とを備えた車両用灯具において、
上記プラグ１８に往、復回動Ｃ，Ｄ可能に枢支される回動体２９と、この回動体２９を往回動Ｃさせるよう付勢する付勢手段３０とを設け、
上記開口縁部９ａから上記点灯回路ユニット１２を取り外した状態（図１の全図と、図２中一点鎖線）で、上記コネクタボディ１５にプラグ１８を差し込むとき、この差し込みを上記往回動Ｃした回動体２９が阻止するようにし、
上記開口縁部９ａに上記点灯回路ユニット１２を取り付けた状態（図２、図４中各実線）で、上記コネクタボディ１５にプラグ１８を差し込むとき、上記回動体２９が上記ランプハウジング２側に係合することにより、上記回動体２９が復回動Ｄして上記コネクタボディ１５へのプラグ１８の差し込みを許容するようにし（図４中一点鎖線）、上記コネクタボディ１５にプラグ１８を差し込んだ後（図４中実線）、上記点灯回路ユニット１２を逆方向回動Ｂさせるとき、上記プラグ１８と回動体２９とのうちの少なくともいずれか一方が上記ランプハウジング２側に係止されることにより、上記点灯回路ユニット１２の逆方向回動Ｂが阻止されるようにしたことを特徴とする車両用灯具である。
【００１５】
請求項２の発明は、図５〜８に例示するように、ランプハウジング２の内側に着脱可能に取り付けられる放電ランプ５と、上記ランプハウジング２に貫設される開口９を通して上記放電ランプ５と結線され、上記開口９を開閉可能に閉じる点灯回路ユニット１２と、上記開口９の軸心８回りで上記点灯回路ユニット１２を一方向回動Ａ、もしくは逆方向回動Ｂさせることにより、この点灯回路ユニット１２を上記開口９の開口縁部９ａに取り付け、もしくは取り外し可能とする取付具１３と、上記点灯回路ユニット１２側に取り付けられるコネクタボディ１５と、電源側１７に接続され、上記コネクタボディ１５に差し込み、離脱可能とされるプラグ１８とを備えた車両用灯具において、
上記コネクタボディ１５に往、復回動Ｃ，Ｄ可能に枢支される回動体２９と、この回動体２９を往回動Ｃさせるよう付勢する付勢手段３０とを設け、
上記開口縁部９ａから上記点灯回路ユニット１２を取り外した状態（図５中一点鎖線と図６）で、上記コネクタボディ１５にプラグ１８を差し込むとき、この差し込みを上記往回動Ｃした回動体２９が阻止するようにし、
上記点灯回路ユニット１２を一方向回動Ａさせてこの点灯回路ユニット１２を上記開口縁部９ａに取り付けるとき、上記回動体２９が上記ランプハウジング２側に係合することにより、上記回動体２９が復回動Ｄして上記コネクタボディ１５へのプラグ１８の差し込みを許容すると共に上記回動体２９が上記ランプハウジング２側に係止されるようにし（図８中実線）、上記コネクタボディ１５にプラグ１８を差し込んだとき（図８中二点鎖線）、このプラグ１８が上記ランプハウジング２側への上記回動体２９の係止を維持するようにし、この係止の維持により上記点灯回路ユニット１２の逆方向回動Ｂが阻止されるようにしたことを特徴とする車両用灯具である。
【００１６】
なお、この項において、上記各用語に付記した符号や図面番号は、本発明の技術的範囲を後述の「実施例」の項や図面の内容に限定解釈するものではない。
【発明の効果】
【００１７】
本発明による効果は、次の如くである。
【００１８】
請求項１の発明によれば、ランプハウジングの内側からランプを取り外す作業などにおいて、ランプハウジングから取り外された点灯回路ユニット側のコネクタボディにプラグを差し込むことは上記回動体により阻止される。また、ランプハウジングに点灯回路ユニットを取り付けた状態で、この点灯回路ユニット側のコネクタボディにプラグを差し込んだときには、上記ランプハウジング側に係止された回動体、もしくはプラグにより上記点灯回路ユニットの逆方向回動が阻止されて、これら点灯回路ユニット、コネクタボディ、およびプラグの組み合わせ体が上記ランプハウジングから一体的に取り外されることが防止される。
【００１９】
よって、上記コネクタボディとこのコネクタボディに差し込まれたプラグとを介し、電源側と通電されて高電圧状態とされた点灯回路ユニットが、その高電圧状態のままでランプハウジングから取り外された状態（前記「通電・取り外し状態」に相当）に置かれるということが防止され、つまり、高電圧状態の点灯回路ユニットがランプハウジングの外部に大きく露出させられるという不都合の発生が、より確実に防止される。
【００２０】
また、上記したように、灯具におけるランプハウジングへの点灯回路ユニットの取り付け、もしくは取り外しは、上記ランプハウジングに形成された開口の軸心回りで上記点灯回路ユニットを一方向回動、もしくは逆方向回動させることで達成される。このため、ランプハウジングへの点灯回路ユニットの取り付け、もしくは取り外しのための締結具が不要である分、この灯具は、簡単な構成のものとされる。そして、このような簡単な構成の灯具においても、上記点灯回路ユニットが「通電・取り外し状態」に置かれることが防止されることから、構成簡単で安全性の高いランプハウジングを安価に提供することができる。
【００２１】
請求項２の発明によれば、ランプハウジングの内側からランプを取り外す作業などにおいて、ランプハウジングから取り外された点灯回路ユニット側のコネクタボディにプラグを差し込むことは上記回動体により阻止される。また、ランプハウジング側に点灯回路ユニットを取り付けた状態で、この点灯回路ユニット側のコネクタボディにプラグを差し込んだときには、上記プラグによりランプハウジング側への係止が維持された回動体により、上記点灯回路ユニットの逆方向回動が阻止されて、これら点灯回路ユニット、コネクタボディ、およびプラグの組み合わせ体が上記ランプハウジングから一体的に取り外されることが防止される。
【００２２】
よって、上記コネクタボディとこのコネクタボディに差し込まれたプラグとを介し、電源側と通電されて高電圧状態とされた点灯回路ユニットが、その高電圧状態のままでランプハウジングから取り外された状態（前記「通電・取り外し状態」に相当）に置かれるということが防止され、つまり、高電圧状態の点灯回路ユニットがランプハウジングの外部に大きく露出させられるという不都合の発生が、より確実に防止される。
【００２３】
また、上記したように、灯具におけるランプハウジングへの点灯回路ユニットの取り付け、もしくは取り外しは、上記ランプハウジングに形成された開口の軸心回りで上記点灯回路ユニットを一方向回動、もしくは逆方向回動させることで達成される。このため、ランプハウジングへの点灯回路ユニットの取り付け、もしくは取り外しのための締結具が不要である分、この灯具は、簡単な構成のものとされる。そして、このような簡単な構成の灯具においても、上記点灯回路ユニットが「通電・取り外し状態」に置かれることが防止されることから、構成簡単で安全性の高いランプハウジングを安価に提供することができる。
【図面の簡単な説明】
【００２４】
【図１】実施例１を示し、図２の一点鎖線部分の拡大断面図である。
【図２】実施例１を示し、灯具の平面断面図である。
【図３】実施例１を示し、斜視展開図である。
【図４】実施例１を示し、作用を示す平面断面図である。
【図５】実施例２を示し、灯具の平面断面図である。
【図６】実施例２を示し、斜視展開図である。
【図７】実施例２を示し、作用説明図である。
【図８】実施例２を示し、図５のVIII−VIII線矢視部分断面図である。
【発明を実施するための形態】
【００２５】
本発明の車両用灯具に関し、ランプハウジングの内側からランプを取り外す作業などにおいて、電源側からの通電で高電圧状態とされた点灯回路ユニットが、その高電圧状態のままでランプハウジングから取り外された状態に置かれ、これにより、上記点灯回路ユニットがランプハウジングの外部に大きく露出させられるという不都合の発生を、より確実に防止できるようにする、という目的を実現するため、本発明を実施するための形態は、次の如くである。
【００２６】
即ち、車両用灯具は、ランプハウジングの内側に着脱可能に取り付けられる放電ランプと、上記ランプハウジングに貫設される開口を通して上記放電ランプと結線され、上記開口を開閉可能に閉じる点灯回路ユニットと、上記開口の軸心回りで上記点灯回路ユニットを一方向回動、もしくは逆方向回動させることにより、この点灯回路ユニットを上記開口の開口縁部に取り付け、もしくは取り外し可能とする取付具と、上記点灯回路ユニット側に取り付けられるコネクタボディと、電源側に接続され、上記コネクタボディに差し込み、離脱可能とされるプラグとを備える。
【００２７】
上記プラグに往、復回動可能に枢支される回動体と、この回動体を往回動させるよう付勢する付勢手段とが設けられる。
【００２８】
上記開口縁部から上記点灯回路ユニットを取り外した状態で、上記コネクタボディにプラグを差し込むとき、この差し込みを上記往回動した回動体が阻止する。
【００２９】
上記開口縁部に上記点灯回路ユニットを取り付けた状態で、上記コネクタボディにプラグを差し込むとき、上記回動体が上記ランプハウジング側に係合することにより、上記回動体が復回動して上記コネクタボディへのプラグの差し込みを許容するようにし、上記コネクタボディにプラグを差し込んだ後、上記点灯回路ユニットを逆方向回動させるとき、上記プラグと回動体とのうちの少なくともいずれか一方が上記ランプハウジング側に係止されることにより、上記点灯回路ユニットの逆方向回動が阻止されるようにしている。
【実施例１】
【００３０】
本発明をより詳細に説明するために、その実施例１を添付の図１〜４に従って説明する。
【００３１】
図１〜３において、符号１は、車両用ヘッドランプとして例示される灯具である。また、各図中矢印Ｆｒは、車両の進行方向の前方を示し、かつ、上記灯具１による光の照射方向を示している。
【００３２】
上記灯具１は、不図示の車体に支持され、前方に向かって開口するランプハウジング２と、このランプハウジング２の開口を閉じるランプレンズ３と、上記ランプハウジング２の内側に設けられるリフレクター４と、このリフレクター４に着脱可能に取り付けられる高輝度放電ランプ５、およびクリアランスランプやターンシグナルランプなどの他のランプ６とを備えている。
【００３３】
上記ランプハウジング２の後端部には、軸心８が、前後方向に延び、上記ランプハウジング２の内外を連通させる円形の開口９が貫設されている。この開口９を通し電線１１により上記放電ランプ５と接続され、上記開口９を開閉可能に閉じる点灯回路ユニット１２が設けられている。この点灯回路ユニット１２は厚肉の円板形状をなして、上記軸心８上に位置している。この軸心８回りで上記点灯回路ユニット１２を時計回りに一方向回動Ａ、もしくは反時計回りに逆方向回動Ｂさせることにより、この点灯回路ユニット１２を開口９の開口縁部９ａに取り付け、もしくは取り外し可能とする取付具１３が設けられている。
【００３４】
上記点灯回路ユニット１２側の後面の一側部にコネクタボディ１５が取り付けられている。また、電線１６により電源側１７に接続され、上記コネクタボディ１５に差し込み、離脱可能とされるプラグ１８が設けられている。また、前記他のランプ６も上記電源側１７に他の電線１９により接続されている。
【００３５】
上記点灯回路ユニット１２は、上記放電ランプ５に必要な高電圧を供給するために電源側１７からの電圧の変換と、電流の制御とを行なうインバータ内蔵のバラスト（安定器）を有している。そして、上記点灯回路ユニット１２側のコネクタボディ１５に電源側１７のプラグ１８が差し込まれて、上記点灯回路ユニット１２に通電されると、この点灯回路ユニット１２からの高電圧が上記放電ランプ５に供給されて、この放電ランプ５により、所定の高輝度放電による照射が前方に向かって行なわれる。
【００３６】
上記取付具１３は、上記点灯回路ユニット１２の外周縁部の前面から前方に突出し、上記軸心８周りの周方向に等間隔に配置される複数（４つ）のフック２２と、上記ランプハウジング２に形成された開口９の開口縁部９ａに形成され、上記ランプハウジング２の後方域から点灯回路ユニット１２を前方移動させて上記開口縁部９ａの後面に当接させるとき、上記フック２２を挿入させる切り欠き２５と、上記軸心８周りの周方向で、上記切り欠き２５に隣接するよう上記開口縁部９ａに形成され、上記切り欠き２５にフック２２が挿入された状態から点灯回路ユニット１２を一方向回動Ａさせるとき、上記フック２２を係止させる係止部２３と、上記開口縁部９ａに形成され、上記係止部２３へのフック２２の係止状態から点灯回路ユニット１２の一方向回動Ａを阻止するストッパ２４とを備えている。
【００３７】
そして、上記したように、係止部２３にフック２２を係止させれば、ランプハウジング２における開口９の開口縁部９ａに点灯回路ユニット１２が圧接された状態で、がたつきなく取り付けられる。一方、この開口縁部９ａへの点灯回路ユニット１２の取り付け状態から、上記フック２２が上記切り欠き２５の内面に当接するまで上記点灯回路ユニット１２を逆方向回動Ｂさせ、次に、この点灯回路ユニット１２と共にフック２２を後方移動させて、このフック２２を切り欠き２５に対し後方に通過させれば、上記開口縁部９ａから点灯回路ユニット１２が取り外される。
【００３８】
上記プラグ１８の前端部の一側部に枢支具２８により往、復回動Ｃ，Ｄ可能となるよう回動体２９が枢支され、この回動体２９を往回動Ｃさせるよう弾性的に付勢する捩りコイルばね製の付勢手段３０が設けられている。また、上記プラグ１８は、上記回動体２９と付勢手段３０とをその外側方から覆うカバー体３１を有しており、このカバー体３１は上記プラグ１８の本体側に一体的に形成されている。
【００３９】
上記点灯回路ユニット１２側のコネクタボディ１５にプラグ１８を差し込んだ状態にしたとき、このプラグ１８に並設される係合体３３が設けられる。この係合体３３は、上記ランプハウジング２の後部から後方に向かって一体的に突設されている。また、上記係合体３３の突出端部には係合孔３４が形成されている。
【００４０】
ここで、例えば、上記放電ランプ５や他のランプ６の交換作業時において、これらランプ５，６をランプハウジング２の内側から取り外して、ランプハウジング２の外部に取り出すなどの作業は、通常、次のようになされる。
【００４１】
即ち、まず、ランプハウジング２おける開口９の開口縁部９ａに取り付けられている点灯回路ユニット１２側のコネクタボディ１５からプラグ１８を離脱させて上記点灯回路ユニット１２を非通電状態にする。次に、この点灯回路ユニット１２をランプハウジング２から取り外して上記開口９を開放する。そして、この開口９を通し上記ランプハウジング２の内側から上記ランプ５，６を取り外す。次に、これらランプ５，６を新しいランプと交換する。これにより、上記ランプ５，６の交換作業が終る。
【００４２】
上記作業では、上記開口９の開口縁部９ａへの点灯回路ユニット１２の取り付け、取り外しや、コネクタボディ１５へのプラグ１８の差し込み、離脱が行なわれるが、この場合、点灯回路ユニット１２側のコネクタボディ１５にプラグ１８が差し込まれていて上記点灯回路ユニット１２が通電され、高電圧状態であり、かつ、この点灯回路ユニット１２がランプハウジング２から取り外された状態、つまり、上記点灯回路ユニット１２が「通電・取り外し状態」に置かれることは好ましくない。
【００４３】
そこで、上記点灯回路ユニット１２が「通電・取り外し状態」に置かれることを防止するため、次のように構成されている。
【００４４】
図１の全図と、図２中一点鎖線とで示すように、上記開口縁部９ａから上記点灯回路ユニット１２を取り外した状態では、この点灯回路ユニット１２側のコネクタボディ１５にプラグ１８を差し込もうとしても、この差し込みは、上記付勢手段３０の付勢により往回動Ｃした回動体２９の一方の回動端部２９ａによって阻止される。
【００４５】
図２、図４中各実線で示すように、上記開口縁部９ａに上記点灯回路ユニット１２を取り付けた状態で、上記コネクタボディ１５にその後方からプラグ１８を差し込むとき（図４中二点鎖線）、このプラグ１８と共に上記コネクタボディ１５側に向かって前方移動する上記回動体２９の他方の回動端部２９ｂが上記ランプハウジング２側である係合体３３の突出端部に係合することにより、上記回動体２９が上記付勢手段３０に抗しながら復回動Ｄして上記コネクタボディ１５へのプラグ１８の差し込みを許容するようになっている（図４中一点鎖線）。
【００４６】
また、図４中実線で示すように、上記開口縁部９ａに上記点灯回路ユニット１２を取り付けた状態で、上記コネクタボディ１５にプラグ１８を差し込んだときには、上記回動体２９が付勢手段３０の付勢により往回動Ｃして、上記回動体２９の他方の回動端部２９ｂが上記ランプハウジング２側である係合体３３の係合孔３４に嵌入されるようになっている。そして、その後、上記点灯回路ユニット１２を逆方向回動Ｂさせる時には、上記回動体２９の他方の回動端部２９ｂが上記ランプハウジング２である係合体３３の係合孔３４に係止されることにより、上記点灯回路ユニット１２の上記逆方向回動Ｂが阻止され、つまり、上記開口縁部９ａから点灯回路ユニット１２を取り外すことが阻止されるようになっている。
【００４７】
なお、上記したように、点灯回路ユニット１２を逆方向回動Ｂさせるとき、上記回動体２９の他方の回動端部２９ｂがランプハウジング２側である係合体３３の係合孔３４への嵌入により係止されることに代えて、上記プラグ１８のカバー体３１がランプハウジング２側である係合体３３に係止されることにより、上記点灯回路ユニット１２の逆方向回動Ｂが阻止されるようにしてもよい。
【００４８】
また、図４中各実線で示すように、上記開口縁部９ａに上記点灯回路ユニット１２を取り付けた状態、かつ、上記コネクタボディ１５にプラグ１８を差し込んだ状態から、このプラグ１８を上記コネクタボディ１５からその後方へ離脱させるときには、上記プラグ１８と共に後方移動する上記回動体２９の他方の回動端部２９ｂが上記係合体３３の係合孔３４の孔縁部に係合することにより、上記回動体２９が上記付勢手段３０に抗しながら復回動Ｄする。そして、この回動体２９の復回動Ｄにより、上記回動体２９の一方の回動端部２９ａは上記係合体３３の係合孔３４から離脱してこの係合孔３４による上記回動体２９の係止が解除される（図４中一点鎖線）。このため、図４中二点鎖線で示すように上記コネクタボディ１５からプラグ１８を離脱させることができる。
【００４９】
即ち、上記構成によれば、ランプハウジング２の内側からランプ５，６を取り外す作業などにおいて、図１と図２中一点鎖線とで示すように、ランプハウジング２から取り外された点灯回路ユニット１２側のコネクタボディ１５にプラグ１８を差し込むことは上記回動体２９により阻止される。また、図４中実線で示すように、ランプハウジング２に点灯回路ユニット１２を取り付けた状態で、この点灯回路ユニット１２側のコネクタボディ１５にプラグ１８を差し込んだときには、上記ランプハウジング２側である上記係合体３３の係合孔３４に係止された回動体２９、もしくはプラグ１８のカバー体３１により上記点灯回路ユニット１２の逆方向回動Ｂが阻止されて、これら点灯回路ユニット１２、コネクタボディ１５、およびプラグ１８の組み合わせ体が上記ランプハウジング２から一体的に取り外されることが防止される。
【００５０】
よって、上記コネクタボディ１５とこのコネクタボディ１５に差し込まれたプラグ１８とを介し、電源側１７と通電されて高電圧状態とされた点灯回路ユニット１２が、その高電圧状態のままでランプハウジング２から取り外された状態（前記「通電・取り外し状態」に相当）に置かれるということが防止され、つまり、高電圧状態の点灯回路ユニット１２がランプハウジング２の外部に大きく露出させられるという不都合の発生が、より確実に防止される。
【００５１】
なお、以上は図示の例によるが、上記付勢手段３０は、上記プラグ１８と回動体２９とを一体的に連結する樹脂製で弾性の連結片で形成してもよい。また、上記係合体３３は、上記ランプハウジング２とは別体に設けられて締結具などにより上記ランプハウジング２に取り付けられるものであってもよい。
【００５２】
また、図４中実線で示すように、上記開口縁部９ａに上記点灯回路ユニット１２を取り付けた状態で、上記コネクタボディ１５にプラグ１８を差し込んだとき、図示しないが上記回動体２９の他方の回動端部２９ｂが上記係合体３３に係合して復回動Ｄさせられることにより、上記回動体２９の一方の回動端部２９ａが上記係合体３３の係合孔３４に嵌入されるようにしてもよい。
【００５３】
以下の図５〜８は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５４】
本発明をより詳細に説明するために、その実施例２を添付の図５〜８に従って説明する。
【００５５】
図５，６において、上記ランプハウジング２における開口９の開口縁部９ａに取り付けられた点灯回路ユニット１２をその後方から覆う樹脂製の耐熱カバー３７が設けられ、この耐熱カバー３７の一側部の後面に上記コネクタボディ１５が取り付けられている。また、上記点灯回路ユニット１２の一側部の後面に、前記電線１１により放電ランプ５と接続される他のコネクタボディ３８が取り付けられる。また、上記耐熱カバー３７の一側部の前面に、上記コネクタボディ１５と接続される一方、上記他のコネクタボディ３８に差し込み、離脱可能とされる他のプラグ３９が取り付けられる。なお、上記耐熱カバー３７、他のコネクタボディ３８、および他のプラグ３９は設けなくてもよく、この場合には、実施例１と同様に、上記点灯回路ユニット１２側に直接コネクタボディ１５を取り付ければよい。
【００５６】
図６〜８において、上記回動体２９は枢支具２８によりコネクタボディ１５に枢支されている。
【００５７】
図５中一点鎖線と図６とで示すように、上記開口縁部９ａから点灯回路ユニット１２を取り外した状態では、この点灯回路ユニット１２側のコネクタボディ１５にプラグ１８を差し込もうとしても、この差し込みは、上記付勢手段３０の付勢により往回動Ｃした回動体２９の一方の回動端部２９ａによって阻止される。
【００５８】
図７で示すように、上記ランプハウジング２における開口９の開口縁部９ａに上記点灯回路ユニット１２を取り付ける場合には、まず、上記取付具１３の各フック２２を各切り欠き２５に、その後方から挿通させて、上記点灯回路ユニット１２を上記開口縁部９ａの後面に当接させる。
【００５９】
次に、上記点灯回路ユニット１２を一方向回動Ａさせるが、このとき、図８中実線で示すように、この点灯回路ユニット１２およびコネクタボディ１５と共に一方向回動Ａする上記回動体２９の他方の回動端部２９ｂが上記ランプハウジング２側の係合体３３に係合することにより、上記回動体２９は上記付勢手段３０に抗しながら復回動Ｄして上記コネクタボディ１５へのプラグ１８の差し込みを許容すると共に、上記回動体２９の一方の回動端部２９ａが上記ランプハウジング２側である係合体３３の係合孔３４に嵌入されて係止される。
【００６０】
図８中実線で示すように、上記開口縁部９ａに上記点灯回路ユニット１２を取り付けることにより、上記した様に、回動体２９の一方の回動端部２９ａが係合体３３の係合孔３４に嵌入されて係止されたときには、図８中二点鎖線で示すように、上記コネクタボディ１５へのプラグ１８の差し込みが可能となり、かつ、上記コネクタボディ１５からのプラグ１８の離脱も可能となる。
【００６１】
そして、図８中二点鎖線で示すように、上記コネクタボディ１５にプラグ１８を差し込んだとき、このプラグ１８は上記係合体３３の係合孔３４への上記回動体２９の一方の回動端部２９ａの係止が維持されるようになっている。そして、この係止の維持により、上記点灯回路ユニット１２の逆方向回動Ｂが阻止され、つまり、上記開口縁部９ａから点灯回路ユニット１２を取り外すことが阻止されるようになっている。
【００６２】
即ち、上記構成によれば、ランプハウジング２の内側からランプ５，６を取り外す作業などにおいて、図６で示すように、ランプハウジング２から取り外された点灯回路ユニット１２側のコネクタボディ１５にプラグ１８を差し込むことは上記回動体２９により阻止される。また、図８中実線と二点鎖線とで示すように、ランプハウジング２側に点灯回路ユニット１２を取り付けた状態で、この点灯回路ユニット１２側のコネクタボディ１５にプラグ１８を差し込んだときには、上記プラグ１８により上記ランプハウジング２側である上記係合体３３の係合孔３４への係止が維持された回動体２９により、上記点灯回路ユニット１２の逆方向回動Ｂが阻止されて、これら点灯回路ユニット１２、コネクタボディ１５、およびプラグ１８の組み合わせ体が上記ランプハウジング２から一体的に取り外されることが防止される。
【００６３】
よって、上記コネクタボディ１５とこのコネクタボディ１５に差し込まれたプラグ１８とを介し、電源側１７と通電されて高電圧状態とされた点灯回路ユニット１２が、その高電圧状態のままでランプハウジング２から取り外された状態（前記「通電・取り外し状態」に相当）に置かれるということが防止され、つまり、高電圧状態の点灯回路ユニット１２がランプハウジング２の外部に大きく露出させられるという不都合の発生が、より確実に防止される。
【符号の説明】
【００６４】
１    灯具
２    ランプハウジング
５    放電ランプ
６    他のランプ
８    軸心
９    開口
９ａ  開口縁部
１１  電線
１２  点灯回路ユニット
１３  取付具
１５  コネクタボディ
１６  電線
１７  電源側
１８  プラグ
１９  他の電線
２８  枢支具
２９  回動体
２９ａ  一方の回動端部
２９ｂ  他方の回動端部
３０  付勢手段
３３  係合体
３４  係合孔
Ａ    一方向回動
Ｂ    逆方向回動
Ｃ    往回動
Ｄ    復回動
【図１】
2013016262.tif 000003
【図２】
2013016262.tif 000004
【図３】
2013016262.tif 000005
【図４】
2013016262.tif 000006
【図５】
2013016262.tif 000007
【図６】
2013016262.tif 000008
【図７】
2013016262.tif 000009
【図８】
2013016262.tif 000010